【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
下部基材(12)の上方に上部基材(14)を組み付けて構成される本体(10)と、この本体(10)の上面に開口する物品収容部(20,30)と、前記本体(10)の後面側に設けられて後方に開口する空気吹出口(50)とからなり、車両搭載のエアコンユニットから導出した空調ダクト(D)を空気吹出口(50)に連通することで、調温空気を空気吹出口(50)から吹出し得るよう構成したフロアコンソールにおいて、
前記上部基材(14)の側壁部(14A)から形成された第１壁面(60)と、一部が物品収容部(20,30)の内壁部(24,34)から形成された第２壁面(62)と、前記下部基材(12)の上壁部(12B)とで、空調ダクト(D)および空気吹出口(50)に連通する空気案内通路(64)を画成し、
前記上部基材(14)において、前記側壁部(14A)の外面から前記物品収容部(20,30)の内面に亘り、所要厚の発泡材(28)および発泡材(28)を被覆する表皮(29)を各々被着した
ことを特徴とするフロアコンソール。
【請求項２】
下部基材(12)の上方に上部基材(14)を組み付けて構成される本体(10)と、この本体(10)の上面に開口する物品収容部(20,30)および機器設置部(40)と、前記本体(10)の後面側に設けられて後方に開口する空気吹出口(50)とからなり、車両搭載のエアコンユニットから導出した空調ダクト(D)を空気吹出口(50)に連通することで、調温空気を空気吹出口(50)から吹出し得るよう構成したフロアコンソールにおいて、
前記上部基材(14)の側壁部(14A)から形成された第１壁面(60)と、略全体が物品収容部(20,30)および機器設置部(40)の内壁部(24,34,42)から形成された第２壁面(62)と、前記下部基材(12)の上壁部(12B)とで、空調ダクト(D)および空気吹出口(50)に連通する空気案内通路(64)を画成し、
少なくとも前記上部基材(14)において、側壁部(14A)の外面から物品収容部(20,30)の内面に亘り、所要厚の発泡材(28)および発泡材(28)を被覆する表皮(29)を各々被着した
ことを特徴とするフロアコンソール。
【請求項３】
発泡材(28)および表皮(29)は、機器設置部(40)の内面にも被着されている請求項２記載のフロアコンソール。
【請求項４】
発泡材(28)は、夫々予備成形した上部基材(14)および表皮(29)の間で発泡成形したポリウレタンである請求項１〜３の何れか一項に記載のフロアコンソール。
【手続補正２】
【補正対象書類名】明細書
【補正対象項目名】０００１
【補正方法】変更
【補正の内容】
【０００１】
本発明は、フロアコンソールに関し、更に詳細には、下部基材の上方に上部基材を組み付けて構成される本体と、この本体の上面に開口する物品収容部と、前記本体の後面側に設けられて後方に開口する空気吹出口とからなり、車両搭載のエアコンユニットから導出した空調ダクトを空気吹出口に連通することで、調温空気を空気吹出口から吹出し得るよう構成したフロアコンソールに関するものである。
【手続補正３】
【補正対象書類名】明細書
【補正対象項目名】０００９
【補正方法】変更
【補正の内容】
【０００９】
前述した課題を解決し、所期の目的を達成するため本発明は、下部基材の上方に上部基材を組み付けて構成される本体と、この本体の上面に開口する物品収容部と、前記本体の後面側に設けられて後方に開口する空気吹出口とからなり、車両搭載のエアコンユニットから導出した空調ダクトを空気吹出口に連通することで、調温空気を空気吹出口から吹出し得るよう構成したフロアコンソールにおいて、
前記上部基材の側壁部から形成された第１壁面と、一部が物品収容部の内壁部から形成された第２壁面と、前記下部基材の上壁部とで、空調ダクトおよび空気吹出口に連通する空気案内通路を画成し、
前記上部基材において、前記側壁部の外面から前記物品収容部の内面に亘り、所要厚の発泡材および発泡材を被覆する表皮を各々被着したことを特徴とする。
【手続補正４】
【補正対象書類名】明細書
【補正対象項目名】００１０
【補正方法】変更
【補正の内容】
【００１０】
同じく前述した課題を解決し、所期の目的を達成するため別の発明は、下部基材の上方に上部基材を組み付けて構成される本体と、この本体の上面に開口する物品収容部および機器設置部と、前記本体の後面側に設けられて後方に開口する空気吹出口とからなり、車両搭載のエアコンユニットから導出した空調ダクトを空気吹出口に連通することで、調温空気を空気吹出口から吹出し得るよう構成したフロアコンソールにおいて、
前記上部基材の側壁部から形成された第１壁面と、略全体が物品収容部および機器設置部の内壁部から形成された第２壁面と、前記下部基材の上壁部とで、空調ダクトおよび空気吹出口に連通する空気案内通路を画成し、
少なくとも前記上部基材において、側壁部の外面から物品収容部の内面に亘り、所要厚の発泡材および発泡材を被覆する表皮を各々被着したことを特徴とする。
【手続補正５】
【補正対象書類名】明細書
【補正対象項目名】００１１
【補正方法】変更
【補正の内容】
【００１１】
本発明に係るフロアコンソールによれば、本体を構成する上部基材の側壁部から形成された第１壁面と、この本体に形成された物品収容部の内壁面から一部が形成された第２壁面と、下部基材の上壁部とにより、空調ダクトおよび空気吹出口に連通する空気案内通路を内部に画成するようにしたため、空調ダクトの延在長が短くなってコスト低減を図り得る利点がある。また、第１壁面の全面および第２壁面の一部分が、発泡材および表皮で被着されて断熱構造となっているため、空気案内通路の内部と外部(乗員室)との温度差が大きい場合でも、本体の外面や物品収容部の内面が結露するのを好適に防止し得る等の有益な効果を奏する。
【手続補正６】
【補正対象書類名】明細書
【補正対象項目名】００１２
【補正方法】変更
【補正の内容】
【００１２】
また、別の発明に係るフロアコンソールによれば、本体を構成する上部基材の側壁部から形成された第１壁面と、この本体に形成された物品収容部および機器設置部の内壁面から略全体が形成された第２壁面と、下部基材の上壁部とにより、空調ダクトおよび空気吹出口に連通する空気案内通路を内部に画成するようにしたため、空調ダクトの延在長が短くなってコスト低減を図り得る利点がある。また、第１壁面の全面および第２壁面の略全面が、発泡材および表皮で被着されて断熱構造となっているため、空気案内通路の内部と外部(乗員室)との温度差が大きい場合でも、本体の外面や、物品収容部および機器設置部の内面が結露するのを好適に防止し得る等の有益な効果を奏する。
【手続補正７】
【補正対象書類名】明細書
【補正対象項目名】００１６
【補正方法】変更
【補正の内容】
【００１６】
そして、上部基材１４の外面全面、すなわち側壁部１４Ａ、上壁部１４Ｂ、第１物品収容部２０の内壁部２４および底壁部２６、第２物品収容部３０の内壁部３４および底壁部３６に、所要厚の発泡材２８および表皮２９が被着されており、上部基材１４の全体が３層構造となっている。発泡材２８は、例えばポリウレタン等の合成樹脂素材を材質としたもので、夫々予備成形した上部基材１４および表皮２９を図示しない発泡成形型にセットしたもとで、これら上部基材１４および表皮２９の間に注入した発泡材料を発泡反応させて形成されたものである。そして、各部位毎に多少の差はあるが、何れの部位でも少なくとも５ｍｍ以上の厚みとなるように設定されており、適度の弾力性を具有してフロアコンソールＦＣの触感向上に寄与するようになっている。一方、表皮２９は、本革等に似せたシボ模様が表面に形成されており、フロアコンソールＦＣの質感向上に寄与するようになっている。なお、上部基材１４と下部基材１２との組付けは、上部基材１４に発泡材２８および表皮２９を被着した後に実施される。
【手続補正８】
【補正対象書類名】明細書
【補正対象項目名】００１７
【補正方法】変更
【補正の内容】
【００１７】
そして、本実施例のフロアコンソールＦＣでは、図１、図３〜図５に例示したように、本体１０の上部基材１４の側壁部１４Ａから形成された第１壁面６０と、略全体が第１物品収容部２０の内壁部２４、第２物品収容部３０の内壁部３４および機器設置部４０の内壁部４２から形成された第２壁面６２と、下部基材１２における後述の上壁部１２Ｂとで、空調ダクトＤ,Ｄおよび空気吹出口５０,５０に連通する空気案内通路６４,６４を本体１０の左右両側に画成してある。すなわち第２壁面６２は、第１物品収容部２０、第２物品収容部３０および機器設置部４０の各内壁部２４,３４,４２が略一直線状に整列して位置しているため、これら内壁部２４,３４,４２の間に、隣接する内壁部同士を連結する連結壁６６,６６を設けることで単一壁面として形成され、所要の間隔Ｓをおいて第１壁面６０と略平行に延在している。
【手続補正９】
【補正対象書類名】明細書
【補正対象項目名】００１８
【補正方法】変更
【補正の内容】
【００１８】
換言すると、本実施例のフロアコンソールＦＣは、第１物品収容部２０、第２物品収容部３０および機器設置部４０の各内壁部２４,３４,４２を空気案内通路６４の壁面として兼用させ、これら第１物品収容部２０、第２物品収容部３０および機器設置部４０を挟んで左右両側に空気案内通路６４,６４を画成した構造となっている。なお、上部基材１４の前側には、図１および図３に例示するように、各空気案内通路６４,６４に連通する空気流入口７０,７０が開設されており、この空気流入口７０に空調ダクトＤが整合するようになっている。そして、各空気案内通路６４,６４は、下部基材１２に対して上部基材１４を組付けた際に、下部基材１２の上壁部１２Ｂが整合することで完全な中空状を呈するようになる。
【手続補正１０】
【補正対象書類名】明細書
【補正対象項目名】００２３
【補正方法】変更
【補正の内容】
【００２３】
このように本実施例のフロアコンソールＦＣでは、本体１０を構成する上部基材１２の側壁部１４Ａから形成された第１壁面６０と、この本体１０に形成された第１物品収容部２０と第２物品収容部３０の各内壁面２４,３４および機器設置部４０の内壁面４２から略全体が形成された第２壁面６２と、下部基材１２の上壁部１２Ｂとにより、空調ダクトＤ,Ｄおよび空気吹出口５０,５０に連通する空気案内通路６４,６４を内部に画成するようにしたため、空調ダクトＤ,Ｄの延在長が短くなってコスト低減を図り得る。また、第１壁面６０の全面および第２壁面６２の略全面が、発泡材２８および表皮２９で被着されて断熱構造となっているため、空気案内通路６４の内部と外部(乗員室)との温度差が大きい場合でも、本体１０の外面や、第１物品収容部２０、第２物品収容部３０および機器設置部４０の内面が結露するのを好適に防止し得る。
【手続補正１１】
【補正対象書類名】明細書
【補正対象項目名】００３０
【補正方法】変更
【補正の内容】
【００３０】
１０  本体
１２  下部基材
１２Ｂ  上壁部
１４  上部基材
１４Ａ  側壁部
２０  第１物品収容部
２４  内壁部(第１物品収容部の)
２８  発泡材
２９  表皮
３０  第２物品収容部
３４  内壁部(第２物品収容部の)
４０  機器設置部
４２  内壁部(機器設置部の)
５０  空気吹出口
６０  第１壁面
６２  第２壁面
６４  空気案内通路
Ｄ  空調ダクト